【手続補正書】
【提出日】平成18年2月23日(2006.2.23)
【手続補正１】
【補正対象書類名】特許請求の範囲
【補正対象項目名】全文
【補正方法】変更
【補正の内容】
【特許請求の範囲】
【請求項１】
テーブルと、該テーブルの下方に設けた複数の分割及び組立可能なボックスにより構成し、該ボックス内を流路部とすると共に、隣接する流路部を連結して排気流路を形成し、
テーブル直下の上段ボックス内の外箱の上方開口部内に上方開口状の内箱を設けると共に、該内箱内に別部材からなる調理手段を載置するための載置台を設け、
内箱の外側に前記排気流路へと連通する吸引流路を設けると共に、該吸引流路へと連通する吸引孔を前記載置台に載置される調理手段の焼き面よりも上方に形成して、
前記排気流路内に油脂濾過部と吸着脱臭部とHEPAフィルターとファンと排気口とを配置したことを特徴とする分割式無煙ロースター。
【請求項２】
テーブルと、該テーブルの下方に設けた複数の分割及び組立可能なボックスにより構成し、該ボックス内を流路部とすると共に、隣接する流路部を連結して排気流路を形成し、
テーブル直下の上段ボックス内の外箱の上方開口部内に上方開口状の内箱を設けると共に、該内箱内に調理手段を設け、内箱の外側に吸引流路を設けると共に、該吸引流路へと連通する吸引孔を前記調理手段の焼き面よりも上方に形成して、
前記排気流路内に油脂濾過部と吸着脱臭部とHEPAフィルターとファンと排気口とを配置したことを特徴とする分割式無煙ロースター。
【請求項３】
テーブルと、該テーブルの下方に設けた複数の分割及び組立可能なボックスにより構成し、該ボックス内を流路部とすると共に、隣接する流路部を連結して排気流路を形成し、
テーブル直下の上段ボックス内の外箱の上方開口部内に上方開口状の内箱を設けると共に、該内箱内に別部材からなる調理手段を載置するための載置台を設け、
内箱の外側に前記排気流路へと連通する吸引流路を設けると共に、該吸引流路へと連通する吸引孔を前記載置台に載置される調理手段の焼き面よりも上方に形成し、
前記排気流路内に油脂濾過部と吸着脱臭部とHEPAフィルターとファンと排気口とを配置して、
前記排気流路中、HEPAフィルターの下流側であって排気口の上流側に供給口を配置し、当該供給口から本分割式無煙ロースターから生ずる排気の一部を前記上段ボックス内の調理手段へと送出可能としたことを特徴とする分割式無煙ロースター。
【請求項４】
テーブルと、該テーブルの下方に設けた複数の分割及び組立可能なボックスにより構成し、該ボックス内を流路部とすると共に、隣接する流路部を連結して排気流路を形成し、
テーブル直下の上段ボックス内の外箱の上方開口部内に上方開口状の内箱を設けると共に、該内箱内に調理手段を設け、内箱の外側に吸引流路を設けると共に、該吸引流路へと連通する吸引孔を前記調理手段の焼き面よりも上方に形成し、
前記排気流路内に油脂濾過部と吸着脱臭部とHEPAフィルターとファンと排気口とを配置して、
前記排気流路中、HEPAフィルターの下流側であって排気口の上流側に供給口を配置し、当該供給口から本分割式無煙ロースターから生ずる排気の一部を前記上段ボックス内の調理手段へと送出可能としたことを特徴とする分割式無煙ロースター。
【請求項５】
請求項１乃至請求項４に記載の無煙ロースターにおいて、
前記排気流路内には、油脂濾過部、ファン、吸着脱臭部、HEPAフィルター及び排気口を順次配置したことを特徴とする分割式無煙ロースター。
【請求項６】
請求項３乃至請求項５に記載の分割式無煙ロースターにおいて、
テーブル下方に複数のボックスを分割可能に積重すると共に、これら積重された複数のボックスに対して側方ボックスを分割可能に配置し、
当該側方ボックスには、その内部にHEPAフィルターを配設すると共に該側方ボックスの側面に排気口を形成し、該側方ボックスと前記テーブル直下に積重された複数のボックスのうちの最上段ボックスとを相互に連通させる供給口を設けたことを特徴とする分割式無煙ロースター。
【請求項７】
請求項１乃至請求項６に記載の分割式無煙ロースターにおいて、
前記調理手段はガスバーナーであり、
前記供給口から送出された排気の一部を、前記ガスバーナーにおいてガスを燃焼させるために利用することを特徴とする分割式無煙ロースター。
【請求項８】
請求項１乃至請求項６に記載の分割式無煙ロースターにおいて、
前記調理手段はIHヒーターであり、
前記供給口から送出された排気の一部によって当該IHヒーターを冷却することを特徴とする分割式無煙ロースター。
【請求項９】
請求項１乃至請求項６に記載の分割式無煙ロースターにおいて、
前記調理手段は抵抗体を用いた電熱ヒーターであり、
前記供給口から送出された排気の一部によって、上段ボックス内における外箱の外壁を冷却することを特徴とする分割式無煙ロースター。
【請求項１０】
請求項１乃至請求項９に記載の分割式無煙ロースターにおいて、
前記油脂濾過部は、一次濾過フィルターと、二次濾過フィルターとを有することを特徴とする分割式無煙ロースター。
【請求項１１】
請求項１０に記載の分割式無煙ロースターにおいて、
前記二次濾過フィルターは９５％以上の捕集率としたことを特徴とする分割式無煙ロースター。
【請求項１２】
請求項１１に記載の無煙ロースターにおいて、
前記二次濾過フィルターは準HEPAフィルターからなることを特徴とする無煙ロースター。
【手続補正２】
【補正対象書類名】明細書
【補正対象項目名】全文
【補正方法】変更
【補正の内容】
【発明の詳細な説明】
【発明の名称】無煙ロースター
【技術分野】
【０００１】
本発明は、HEPAフィルターにて排気を濾過する無煙ロースターに関するものである。
【背景技術】
【０００２】
従来、焼肉店等に設置されたロースターから発生する排気を屋外へと排出すべく、当該ロースターにはダクトが接続されている。このダクト下流側には脱臭装置が接続されており、一般的に、複数台のロースターから発生する排ガスから油煙や臭気を濾過した後に外気中へと排気する、「集中ダクト方式」が採用されていた。
【０００３】
上記ダクトや脱臭装置は、その内部を洗浄したり濾過フィルターを交換するなどの定期的なメンテナンスが不可欠であるが、当該メンテナンスには多額の費用が必要であったため、焼肉店主などはこのメンテナンスを怠ることが間々あった。
【０００４】
しかし、上記メンテナンスを怠るとダクト内や濾過フィルターに「油脂」などが大量に蓄積し、この蓄積した油脂に火が触れて引火するとダクト火災が発生してしまう虞があった。
【０００５】
一方、ロースターというのは、上記の如くダクトに接続されて屋外へと排気する方式のものだけでなく、特許文献１に記載の技術の如く、「ノンダクト方式」のロースターも従来から実用に供している。このノンダクト方式のロースターというのは、ロースター本体の内部にドレンボックス、吸引用のファン、フィルター等を装備し、ロースター本体内部で排ガスを浄化処理し、清浄後の排気を室内へと返還するものである。このノンダクト方式のロースターは店内の配置箇所がダクトの所在により制限されないので、レイアウトの自由度を高めることができるものである。
【０００６】
しかし、従来のノンダクト方式のロースターでは、ロースター本体内部での排ガスの浄化処理が必ずしも万全ではなく、当該ロースターから生ずる排ガスから油煙や臭気を完全に除去することが困難であった。
【０００７】
また、上記の従来技術に係るノンダクト方式のロースターでは、調理部の焼面付近から吸引した焼煙を濾過フィルター等を通過させて浄化処理した後、該ロースターキャビネットの側壁に設けた排気ルーバーから室内（店内）に排出していた。この排気は浄化処理はなされているものの、調理部の焼面から吸引したものであるからある程度の熱を帯びている。従って、当該ロースターから排出される熱が前記排気ルーバー付近へと局所的に集中するため、該ロースターを飲食店や会食会場等で使用する場合には、客席を前記排気ルーバーから離して配置する等の配慮が必要となり、その結果、客席のレイアウトに制限を加えることとなっていた。
【０００８】
【特許文献１】特開２００２−９５５９３号公報
【発明の開示】
【発明が解決しようとする課題】
【０００９】
そこで本発明は、上記諸問題の存在に鑑みて、ロースターから生ずる排ガスを屋外又は屋内に排気するにあたり、当該排ガスから油煙や臭気をほぼ完全に除去することが可能な無煙ロースターを提供する。
【課題を解決するための手段】
【００１０】
上記課題を解決すべく、本発明が採った手段を各請求項毎に説明する。
【００１１】
まず請求項１に係る発明は、テーブルと、該テーブルの下方に設けた複数の分割及び組立可能なボックスにより構成し、該ボックス内を流路部とすると共に、隣接する流路部を連結して排気流路を形成し、テーブル直下の上段ボックス内の外箱の上方開口部内に上方開口状の内箱を設けると共に、該内箱内に別部材からなる調理手段を載置するための載置台を設け、内箱の外側に前記排気流路へと連通する吸引流路を設けると共に、該吸引流路へと連通する吸引孔を前記載置台に載置される調理手段の焼き面よりも上方に形成して、前記排気流路内に油脂濾過部と吸着脱臭部とHEPAフィルターとファンと排気口とを配置したことを特徴とするものである。
【００１２】
次に請求項２に係る発明の分割式無煙ロースターは、テーブルと、該テーブルの下方に設けた複数の分割及び組立可能なボックスにより構成し、該ボックス内を流路部とすると共に、隣接する流路部を連結して排気流路を形成し、テーブル直下の上段ボックス内の外箱の上方開口部内に上方開口状の内箱を設けると共に、該内箱内に調理手段を設け、内箱の外側に吸引流路を設けると共に、該吸引流路へと連通する吸引孔を前記調理手段の焼き面よりも上方に形成して、前記排気流路内に油脂濾過部と吸着脱臭部とHEPAフィルターとファンと排気口とを配置したことを特徴とするものである。
【００１３】
また請求項３に係る発明は、テーブルと、該テーブルの下方に設けた複数の分割及び組立可能なボックスにより構成し、該ボックス内を流路部とすると共に、隣接する流路部を連結して排気流路を形成し、テーブル直下の上段ボックス内の外箱の上方開口部内に上方開口状の内箱を設けると共に、該内箱内に別部材からなる調理手段を載置するための載置台を設け、内箱の外側に前記排気流路へと連通する吸引流路を設けると共に、該吸引流路へと連通する吸引孔を前記載置台に載置される調理手段の焼き面よりも上方に形成し、前記排気流路内に油脂濾過部と吸着脱臭部とHEPAフィルターとファンと排気口とを配置して、前記排気流路中、HEPAフィルターの下流側であって排気口の上流側に供給口を配置し、当該供給口から本分割式無煙ロースターから生ずる排気の一部を前記上段ボックス内の調理手段へと送出可能としたことを特徴とするものである。
【００１４】
さらに請求項４に係る発明は、テーブルと、該テーブルの下方に設けた複数の分割及び組立可能なボックスにより構成し、該ボックス内を流路部とすると共に、隣接する流路部を連結して排気流路を形成し、テーブル直下の上段ボックス内の外箱の上方開口部内に上方開口状の内箱を設けると共に、該内箱内に調理手段を設け、内箱の外側に吸引流路を設けると共に、該吸引流路へと連通する吸引孔を前記調理手段の焼き面よりも上方に形成し、前記排気流路内に油脂濾過部と吸着脱臭部とHEPAフィルターとファンと排気口とを配置して、前記排気流路中、HEPAフィルターの下流側であって排気口の上流側に供給口を配置し、当該供給口から本分割式無煙ロースターから生ずる排気の一部を前記上段ボックス内の調理手段へと送出可能としたことを特徴とするものである。
【００１５】
請求項５に係る発明は、請求項２又は請求項４に記載の無煙ロースターにおいて、前記排気流路内には、油脂濾過部、ファン、吸着脱臭部、HEPAフィルター及び排気口を順次配置したことを特徴とするものである。
【００１６】
請求項６に係る発明は、請求項３乃至請求項５に記載の分割式無煙ロースターにおいて、テーブル下方に複数のボックスを分割可能に積重すると共に、これら積重された複数のボックスに対して側方ボックスを分割可能に配置し、当該側方ボックスには、その内部にHEPAフィルターを配設すると共に該側方ボックスの側面に排気口を形成し、該側方ボックスと前記テーブル直下に積重された複数のボックスのうちの最上段ボックスとを相互に連通させる供給口を設けたことを特徴とするものである。
【００１７】
請求項７に係る発明は、請求項１乃至請求項６に記載の分割式無煙ロースターにおいて、前記調理手段はガスバーナーであり、前記供給口から送出された排気の一部を、前記ガスバーナーにおいてガスを燃焼させるために利用することを特徴とするものである。
【００１８】
請求項８に係る発明は、請求項１乃至請求項６に記載の分割式無煙ロースターにおいて、前記調理手段はIHヒーターであり、前記供給口から送出された排気の一部によって当該IHヒーターを冷却することを特徴とするものである。
【００１９】
請求項９に係る発明は、請求項１乃至請求項６に記載の分割式無煙ロースターにおいて、前記調理手段は抵抗体を用いた電熱ヒーターであり、前記供給口から送出された排気の一部によって、上段ボックス内における外箱の外壁を冷却することを特徴とするものである。
【００２０】
請求項１０に係る発明は、請求項１乃至請求項９に記載の分割式無煙ロースターにおいて、  前記油脂濾過部は、一次濾過フィルターと、二次濾過フィルターとを有することを特徴とするものである。
【００２１】
請求項１１に係る発明は、請求項１０に記載の分割式無煙ロースターにおいて、前記二次濾過フィルターは９５％以上の捕集率としたことを特徴とするものである。
【００２２】
そして、請求項１２に係る発明は、請求項１１に記載の無煙ロースターにおいて、前記二次濾過フィルターは準HEPAフィルターからなることを特徴とするものである。
【発明の効果】
【００２３】
上記手段により、以下の効果を奏することとなる。
【００２４】
まず、請求項１乃至請求項１２に係る分割式無煙ロースターによれば、調理手段の焼き面から生ずる排気を油脂濾過部、吸着脱臭部及びHEPAフィルターによって濾過することから、新鮮空気と遜色ないレベルにまで清浄化でき、クリーンな排気を実現することとなる。
【００２５】
濾過行程に配置される油脂濾過部、吸着脱臭部及びHEPAフィルターの順序は、当該濾過行程の上流側から下流側に至るに従って、捕集率の低いものから捕集率の高いものへと段階的に配置することにより、効率的な焼煙の浄化処理が可能となる。
【００２６】
また、前記油脂濾過部を一次濾過フィルターと二次濾過フィルターとから構成した場合には、濾過行程の上流側に配置された一次濾過フィルターに対してロースターから発生する油脂を吸着させ、当該一次濾過フィルターを日常的な頻度で交換することによって二次濾過フィルターへの負荷を低減可能となり、ひいては、本分割式無煙ロースターの使用によって生じるランニングコストの低廉化を図ることが可能となるのである。
【００２７】
さらに、油脂濾過部における二次濾過フィルターの捕集率を９５％以上とした場合には、当該二次濾過フィルターが排気に含まれる油脂の大半を吸着することとなり、濾過行程の下流側に配置されたHEPAフィルターへの負荷を低減可能となり、ひいては、高価なHEPAフィルターへの交換サイクルの長期化を図ることができて、本分割式無煙ロースターの使用によって生じるランニングコストの更なる低廉化を図ることが可能となるのである。
【００２８】
なお、浄化処理後の排気の一部を供給口を介して上段ボックス内へと供給し、当該上段ボックスを通過して他の排気口から排気した場合には、当該ロースターからの排気熱を複数の箇所に分散させることが可能となり、ひいては、当該ロースターが設置される飲食店等において、客席レイアウトの自由度を高めることが可能となるのである。
【００２９】
ここで、調理手段にガスバーナーを採用した場合において、尚かつ、上記HEPAフィルターを通過して浄化された排気の一部を吸引口からロースター内部へと送り込む構成を採った場合には、清浄後の排気をガス燃焼用として利用することが可能となる。即ち、ガスを燃焼させるために必要な空気の大半を、ロースターから発生して浄化された排気により賄うこととなる。この排気はロースターの燃焼部により熱せられており、室内にそのまま排気すれば空調にも影響を与えることとなる。しかし、HEPAフィルターを通過して浄化された排気の一部を吸引口からロースター内部へと送り込んだ場合には、その浄化後の排気がガスの燃焼に用いるため、熱せられた排気の室内への排出量を減らすことが可能となり、尚かつ、ガス燃焼用としての空調空気の消耗を最小限に抑えることができる。そのため、空調コストへの影響をも抑えることが可能となるのである。また、かかる構成によれば、ガス燃焼用として室内の新鮮空気を取り込む必要がないことから、ロースター本体に「空気取入口」としての開口部が不要となる。即ち、当該開口部がホコリ等によって目詰まりすることに由来する、不完全燃焼という問題を解消させることが可能となるのである。
【００３０】
一方、調理手段にIHヒーターを採用した場合において、尚かつ、上記HEPAフィルターを通過して浄化された排気の一部を吸引口からロースター内部へと送り込む構成を採った場合には、清浄後の排気の一部をIHヒーター近傍を流れる冷却路を流通させることとなる。即ち、清浄後の排気の一部をIHヒーターの冷却用として利用可能となり、IHヒーターの磁気コイルを効果的に冷却できて、ひいては、IHヒーターへの負担を軽減することが可能となるのである。
【００３１】
また、調理手段にIHヒーターを採用することにより、例えば「肉」を焼いた場合にあっても油煙の発生量が少ないために、各種フィルターの交換サイクルの長期化を図ることができ、ひいては、本分割式無煙ロースターの使用によって生じるランニングコストの低廉化を図ることが可能となるのである。
【発明を実施するための最良の形態】
【００３２】
以下、本発明の一実施例を図面に基づいて説明する。
【実施例１】
【００３３】
図１は実施例１に係る無煙ロースターの概略断面図であり、設置例の１つとして、「掘り炬燵」に設置されたロースターテーブルに対し、座敷床下に「油脂濾過部１９」と「吸着脱臭部２６」と「HEPAフィルター２９」からなる脱臭ユニットをダクトを介して接続した状態を示す図である。勿論、前記脱臭ユニットの設置箇所はこれに限定されるものではなく、例えば、ロースターテーブル内へ組み込んだり、フロア面の下側に埋設したり、或いは、建物の天井裏に設置したり、或いは図２に示すように、外壁を隔てて屋外に設置してもよい。更には、図２に示すように、１台の無煙ロースターにつき１台の脱臭ユニットを接続する形態に限られず、複数台の無煙ロースターを１台の脱臭ユニットに接続するものとしてもよい。
【００３４】
本実施例に係る無煙ロースターは、濾過行程の上流側から「油脂濾過部１９」と「吸着脱臭部２６」と「HEPAフィルター２９」とを組み合わせて、ファン（図示しない）によって上記濾過行程を流通させることにより臭気や煙の除去を行うものである。そして、前記油脂濾過部１９には「一次濾過フィルター２０」及び「二次濾過フィルター２１」が配置されており、前記吸着脱臭部２６には「活性炭」が配置されている。但し、図１に示す形態においては、前記一次濾過フィルター２０をロースター天板下側に配置している。
【００３５】
上記構成中、一次濾過フィルター２０というのは、粒子の大きなチリやカスなどを吸着して除去するものであり、以後の濾過行程における各種フィルターへの負担を軽減させる役割を果たしている。当該一次濾過フィルター２０には、一般に「プレフィルター」と称するものを使用している。より詳細には、ニッケル合金を網状に構成してなる多孔質フィルターである。
【００３６】
次に、二次濾過フィルター２１というのは、本発明においては大気中における０．３μｍの粉塵を９５．０％以上捕集可能なフィルターを意味するものであり、ガラス繊維や紙質材料を不織布状に構成したものである。当該二次濾過フィルター２１には、一般に「中性能フィルター」と称するものを使用している。ここで、二次濾過フィルターにおいて９５％以上の捕集率を確保するためには、当該二次濾過フィルターにつき準HEPAフィルターを採用することが好適と考えられる。
【００３７】
更に、本発明においてHEPAフィルター（High Efficiency Particulate Air Filter）というのは、大気中における０．３μｍの粉塵を９９％以上（好適には９９．９０％以上，最適には９９．９７％以上）捕集可能なフィルターを意味するものであり、ガラス繊維や紙質材料を不織布状に構成したものである。
【００３８】
本実施例に係る無煙ロースターによれば、当該ロースターから発生する排気を油脂濾過部１９，吸着脱臭部２６及びHEPAフィルター２９にて濾過することにより油煙・臭気をほぼ完全に除去し、新鮮空気と遜色ないレベルにまで清浄化することが可能となる。
【００３９】
また、前記油脂濾過部１９を一次濾過フィルター２０と二次濾過フィルター２１とから構成しており、当該一次濾過フィルター２０をロースター天板下側に配置することにより、ドレンパン等を洗浄するついでに当該一次濾過フィルター２０を容易に交換できてメンテナンス性を向上させている。また、濾過行程の上流側に配置された一次濾過フィルター２０に対してロースターから発生する油脂を吸着させ、当該一次濾過フィルター２０を日常的な頻度で交換することによって二次濾過フィルター２１への負荷を低減可能となり、ひいては、本無煙ロースターの使用によって生じるランニングコストの低廉化を図ることが可能となるのである。
【００４０】
そして、油脂濾過部１９における二次濾過フィルター２１の捕集率が９５．０％以上としたことから、当該二次濾過フィルター２１が排気に含まれる油脂の大半を吸着することとなり、濾過行程の下流側に配置されたHEPAフィルター２９への負荷を低減可能となり、ひいては、高価なHEPAフィルター２９への交換サイクルの長期化を図ることができて、本無煙ロースターの使用によって生じるランニングコストの更なる低廉化を図ることが可能となるのである。
【００４１】
以上から、濾過行程の上流側から下流側に向けて各種フィルターの捕集率を段階的に上げて配置することにより、効率的且つ安価に油脂や臭気の除去を行うことが可能となるのである。
【実施例２】
【００４２】
図３は実施例２に係る分割式無煙ロースターの概略断面図である。
【００４３】
本実施例に係る分割式無煙ロースターは調理手段としてガスバーナーを採用したものであり、図８又は図９に示すように、テーブル１（「天板」に相当する）及び該テーブル１の下方に分割可能に組み立てた複数個のボックス２，２ａ…により構成し、隣接するボックス２，２ａ…をボルト、ナットなどにより連結固定している。また図３に示すように、ボックス２，２ａ…内を流路部３，３ａ…とすると共に、隣接する流路部３，３ａ…を連結して排気流路４を形成したものである。尚、本実施例の構成中、「油脂濾過部１９」と「HEPAフィルター２９」の作用効果について、上記実施例１と共通する部分はその説明を省略する。
【００４４】
テーブル１の下方には、３個のボックス２，２ａ，２ｂを分割可能に積重すると共に、該ボックス２，２ａ，２ｂの一側方に縦長状の側方ボックス２ｃを分割可能に配置している。
【００４５】
上段ボックス２内に外箱５を配置すると共に、該外箱５の上部にして、テーブル１に形成した開口部６内に相当する位置に、該開口部６より小径な上方開口部７を形成している。
【００４６】
また、上記外箱５の内部にして上記上方開口部７より下方に上方開口状の内箱８を配設し、該内箱８の外側、即ち外箱５と内箱８の間に流路部３である吸引流路９を形成し、該吸引流路９は排気流路４における最上流に位置している。即ち、図４に示すように、上段ボックス内には外箱５と内箱８とを設置して三重構造とすることにより、外箱５と内箱８との間を流路部３とし、上段ボックス内壁面と外箱５との間の斜線で示した部分を流路部３ｄとしている。前記流路部３は、調理手段の焼面付近から吸引された（未だ浄化処理が施されていない）焼煙が通過し、前記流路部３ｄは、前記焼煙に浄化処理が施されてなる排気が通過することとなる。
【００４７】
前記外箱５と内箱８との間（吸引流路９）の上方隙間をトップリング１０で閉鎖し、該トップリング１０に複数個の吸引孔１１，１１ａ…を形成している。つまり、吸引流路９を形成する内側壁にして、後述する載置調理手段１４より上方に吸引孔１１，１１ａ…が形成されている。
【００４８】
内箱８内の下方にはバーナー１２を設け、内箱８の下方部にドレンパン１３を一体形成している。また、内箱の上方にして吸引孔１１，１１ａ…より下方にロストル、焼き網等の載置調理手段１４を配設している。
【００４９】
中段ボックス２ａ内を流路部３ａとし、該流路部３ａの一側方上部に、外箱５の下部より下方突設した連通口１６の接続口１７を形成し、流路部３ａの上流側にして接続口１７の下方に傾斜板１８を配設して、接続口１７から流入した煙が、後述する油脂濾過部１９側へ滞りなく流れるようにしている。
【００５０】
流路部３ａ内に油脂濾過部１９を配設し、該油脂濾過部１９を、上流側の一次濾過フィルター２０と、該一次濾過フィルター２０の下流側に設けた二次濾過フィルター２１と、該二次濾過フィルター２１の下流側に設けた脱脂フィルター２２により構成している。一次濾過フィルター２０及び脱脂フィルター２２は矩形枠内に設置されて、中段ボックス２ａに対し着脱自在とし、二次濾過フィルター２１は流路部３ａ内に傾斜状態で、中段ボックス２ａに対し着脱自在としている。
【００５１】
本実施例において、前記一次濾過フィルター２０には、ニッケル合金を網状に構成してなる多孔質フィルター（プレフィルター）を採用し、前記二次濾過フィルター２１及び脱脂フィルター２２には準HEPAフィルターを採用している。尚、本発明において油脂濾過部１９は斯様な構成に限定されるものではなく、一次濾過フィルター２０だけを配置するもの、二次濾過フィルター２１だけを配置するもの、一次濾過フィルター２０と二次濾過フィルター２１とを組み合わせて配置するもの、二次濾過フィルター２１と脱脂フィルター２２とを組み合わせて配置するもの、一次濾過フィルター２０と脱脂フィルター２２とを組み合わせて配置するもの等々、あらゆる構成を採用できる。
【００５２】
下段ボックス２ｂ内を流路部３ｂとし、該流路部３ｂの他側方上部に、中段ボックス２ａの下部より下方突設した連通口２３の接続口２４を形成し、流路部３ｂの上流側にして接続口２４の下方にファン２５を配設して、排気流路４の上流側の煙を吸引して下流側へ吹き出すようにしている。
【００５３】
流路部３ｂの下流側に吸着脱臭部２６を配設し、該吸着脱臭部２６は２個のフィルター２７，２７ａを流れ方向に並べて構成し、該フィルター２７，２７ａは上下通気可能にして、下段ボックス２ｂに対し着脱可能なボックス２８、２８ａ内に、例えば活性炭（更に好適には「竹炭」）や、活性白土の如き吸着脱臭材を充填している。また、２個のフィルター２７，２７ａを、下流側のものが高くなるように階段状に配置している。
【００５４】
吸着脱臭部２６の下流側には連通口３１を形成すると共に、側方ボックス２ｃの内側面下部に連通口３１への接続口３２を形成して側方ボックス２ｃを接続する。当該側方ボックス２ｃの外側面及び下部に排気口３０が形成され、該側方ボックス２ｃ内にHEPAフィルター２９を配置している。当該HEPAフィルター２９は平板状に不織布と蛇腹形状の不織布の複合材と、その下流側に配置された蛇腹形状の不織布とから構成されている。
【００５５】
そして、ファン２５により吸引孔１１，１１ａ…から流路部３（吸引流路９）内に吸い込まれた煙が、連通口１６及び接続口１７を介して中段ボックス２ａの流路部３ａ内に流入し、油脂濾過部１９を通過することで脱脂処理され、次に連通口２３，接続口２４を介しファン２５により下段ボックス２ｂの流路部３ｂ内に送り込まれて吸着脱臭部２６により微粒子及び臭気成分が除去され、更には、連通口３１及び接続口３２を介して側方ボックス２ｃ内の流路部３ｃ内に送り込まれ、最終的にHEPAフィルター２９を通過させることにより油脂・微粒子・臭気成分等が除去され、ほぼ完全に清浄化された排気の一部が排気口３０より外部排出される。
【００５６】
また、図３に示すように、前記側方ボックス２ｃの上部には、上段ボックス２内部へと連通する供給口３３が穿設されており、該供給口３３から浄化処理が施された排気の一部が当該上段ボックス２内の流路部３ｄへと供給されることなる。そして、当該流路部３ｄへ供給された排気は、該上段ボックス２の他方側に設けた第２排気口３４から排気される。かかる構成を採用することにより、当該ロースターからの排気熱を複数の箇所に分散させることが可能となるのである。
【００５７】
なお、流路部３ｄへ供給された排気の一部はバーナー１２側へと供給され、当該流路部３ｄ内のバーナー１２において燃焼用ガスと混合して、燃焼させることが可能となる。但し、当該流路部３ｄ内は供給口３３から入る排気によって与圧された状態となり、ガスバーナー１２による燃焼に影響を与える可能性もある。この点、前記上段ボックス２に設けた第２排気口３４から余分な圧力を外部に排出することにより、ガス燃焼への影響を最小限に抑えることが可能となる。更に、図３に示すように、ガスバーナー１２の空気取り入れ口「Ｃ」と上段ボックス２の側壁（図中、左端に示すの「側壁」）との距離を空けて配設することにより緩衝室Ｂを設けている。この緩衝室Ｂにより、変動する圧力の均一化を図ることとなり、ガス燃焼への影響を最小限に抑えることが可能となる。
【００５８】
また、供給口３３から入る排気は常に一定の風量ではないことから、供給口３３から入る排気の量がガス燃焼に必要な量に満たない場合もあり得る。この場合には、前記第２排気口３４から外気を取り入れることにより、ガスの不完全燃焼を防止することが可能となる。ここで、上記第２排気口３４からは、通常、浄化処理後の排気が排出されているので、当該第２排気口３４がホコリ等によって目詰まりする可能性は低い。従って、該第２排気口３４から外気を取り入れる場合にあっても、開口部がホコリ等によって目詰まりすることに由来する、不完全燃焼という問題は回避できるのである。
【００５９】
さらに、浄化処理が施された排気というのは、そもそも焼面の周縁から吸引したものであることから、酸素を含む比率が低い可能性もある。かかる場合には、前記排気口３０からも新鮮空気を取り入れることが可能であるから、不完全燃焼の虞も否定できる。尚、吸引孔１１からは焼煙・油煙と共に新鮮空気をも吸引しているので、浄化処理後の排気中にあってもガス燃焼に必要な酸素濃度は確保可能である。
【００６０】
ここで、本実施例に係るロースターにおいて燃焼用として供給される空気は、全排気量の約５０％が好適と考えられる。尚、側方ボックス２ｃに設けた排気口３０の開口面積を調整することにより、全排気量における上段ボックス２内部に対する供給量を調整することができる。
【００６１】
なお、上記の如く浄化処理を施した排気の一部を上段ボックス２内に送出することにより、当該上段ボックス２内に配設した外箱５の外面を冷却することが可能となるので、該上段ボックス２側壁の温度上昇の防止にも資することとなる点、併せて付言する。
【００６２】
一方、再利用資源を活用すべきとの観点から、各ボックス２，２ａ…を金属製にして、正面開口状のボックス本体及び該ボックス本体の外側に取り付けるプラスチック製カバーで構成してもよく、解体時にリサイクルし易いように、ボックス本体に対しプラスチック製カバーを着脱可能にしてもよい。
【００６３】
以下、本実施例に係る分割式無煙ロースターを分割可能な構成としたことによる作用・効果を説明する。
【００６４】
本実施例に係る分割式無煙ロースターにあっては、１枚のテーブル１と４個のボックス２，２ａ，２ｂ，２ｃに分割されることから、保管・運搬時には分解状態で、現場搬入後に組立ることか可能になり、取り扱い易くなる。
【００６５】
即ち、テーブル１と、該テーブル１の下方に設けた複数の分割及び組立可能なボックス２，２ａ…により構成し、該ボックス内に流路部３，３ａ…を設けると共に、隣接する流路部３，３ａ…を連結して排気流路４を形成したので、テーブル１及び複数個のボックス２，２ａ…に分解可能にしても、組立状態において排気流路４を確保することができる。
【００６６】
また、テーブル１直下の上段ボックス２内の外箱５の上方開口部７内に上方開口状の内箱８を設けると共に、該内箱８内に載置調理手段１４を設け、内箱８の外側に吸引流路９を設けると共に、該吸引流路９の内側壁に吸引孔１１，１１ａ…を形成し、排気流路４内に油脂濾過部１９，ファン２５，吸着脱臭部２６，HEPAフィルター２９を順次配置したので、小型化されたボックス２，２ａ…に各種部品を組み付ければよいため、製造時の組立作業の容易化を図ることができ、且つ修理時においても、各ボックス２，２ａ…に分割すれば修理作業を容易に行うことができ、修理不能な場合にあっては、該当するテーブル１又は各ボックス２，２ａ…だけを交換することができる。
【００６７】
更に、テーブル１又は各ボックス２，２ａ…に分割して梱包することから、荷姿がコンパクト化されるため、運搬・保管時の取扱性が容易になり、特に平面的に大きいテーブル１は立てて収容することが可能で、運搬・保管時におけるデッドスペースを極めて少なくすることができるため、限られた収容空間を有効的に利用することかでき、よって全体的な流通経費削減を図ることができる。
【００６８】
そして、テーブル１下方に分散配置されていた各種部品を、各ボックス内に収容機器に応じて収容することで、デッドスペースが減少するため、本発明に係る分割式無煙ロースターを全体的にコンパクト化することができる。
【００６９】
本実施例では、ボックス２，２ａ…を４個として、３個を分割可能に積重すると共に、残る１個を３個のボックス２，２ａ，２ｂの側方に分割可能に配置するものとしている。そして、中段ボックス２ａにおける流路部３ａ内に油脂濾過部１９を配設し、下段ボックス２ｂにおける流路部３ｂ内の上流にファン２５を、下流側に吸着脱臭部２６を配設し、側方ボックス２ｃ内にHEPAフィルター２９を配設すると共に、側方ボックス２ｃの側面に排気口３０を形成している。そのため、本分割式無煙ロースター内において比較的長い排気流路を確保できることから圧力損失が大きくなり、吹出し時の勢いも弱くなる。而も排気をテーブル１の短辺に沿った通路側に配置された側方ボックス２ｃの略全面から吹き出させることが可能になるため、来店客の足元に対して勢いよく排気が吹き出してしまうことを防止できる。
【００７０】
吸着脱臭部２６を、上下方向に通気可能な複数個のフィルター２７，２７ａを流れ方向に並べて構成したので、使用可能なフィルター２７，２７ａをそのままにして、使用不能になったフィルター２７，２７ａの吸着脱臭材だけを交換すればよく、１度の交換量を減らすことができる。尚、前記吸着脱臭剤は、予め必要量毎に通気性の高い生地によって袋詰めしておけば袋毎に交換でき、メンテナンス性の向上を図ることができる。
【００７１】
而も、複数個のフィルター２７，２７ａを下流側へ序々に高くするように配置したので、煙中の大きく重い粒子はフィルター２７，２７ａにおける手前側のものに吸着され、小さく軽い粒子はフィルター２７，２７ａにおける奥側のものに吸着されるため、フィルター２７，２７ａにおける奥側のものの交換頻度を少なくして、手前側のものだけを交換するだけで、高い吸着脱臭機能を維持することができる等、その実用的効果甚だ大である。
【実施例３】
【００７２】
図５は実施例３に係る分割式無煙ロースターの概略断面図である。
【００７３】
本実施例に係る分割式無煙ロースターは、その調理手段としてIHヒーターを採用したものであり、その他の構成は上記実施例２と共通である。従って、本実施例独自の構成及び作用効果についてのみ説明し、上記実施例２共通する部分についてはその説明を省略する。
【００７４】
本実施例に係る分割式無煙ロースターは、いわば熱源としてIHヒーターを採用した点に特徴を特徴を有するものである。即ち、IHヒーターでは誘導加熱される鉄板からの熱伝導が主であるのに対し、ガス加熱等では遠赤外線効果を利用した輻射熱と熱対流のため、上記IHヒーターがガス加熱等に比して調理物に対する入熱量と加熱温度は低い特性がある。従って、IHヒーターで肉を焼いた場合には、ガス火焔の場合に比しても油煙の発生量が少ないことが判明している。これは、熱せられた肉から生ずる肉汁が、火焔によっては燃焼されないことに理由がある。
【００７５】
換言すれば、本実施例に係る分割式無煙ロースターは、油煙の発生量が少なく抑えることが可能であるから、脱臭ユニットにおける各種フィルター及び活性炭への負荷を軽減できて、これら消耗部品の交換サイクルを長期化することが可能となり、ひいては、本分割式無煙ロースターを使用することにより生ずるランニングコストを低廉化させることが可能となるのである。
【００７６】
また、本実施例に係る分割式無煙ロースターには、上記実施例２と同様に図５に示すように、側方ボックス２ｃの上部に、上段ボックス２内部へと連通する供給口３３が穿設されており、該供給口３３から清浄化された排気の一部が当該上段ボックス２内部へと供給される。該上段ボックス２内部へと供給された（一部の）排気は、上記流路部３の外側、即ち、外箱５の更なる外側に相当する流路部３ｄから、IHヒーターの下側を流通して、前記上段ボックス２の反対側に設けた第２排気口３４から外部へと放出することとなる。かかる構成によれば、当該IHヒーターにおける電磁誘導コイルから生じて冷却ファンから放出される「熱」を効率的に外部へと放出することができ、該IHヒーターへの負担を軽減できて、本分割式無煙ロースター自体の耐久性を向上させることが可能となる。また、上記の如く浄化処理を施した排気の一部を上段ボックス２内に送出することにより、当該上段ボックス２内に配設した外箱５の外面を冷却することが可能となるので、該上段ボックス２側壁の温度上昇の防止にも資することとなる。
【００７７】
さらに、本実施例に係る分割式無煙ロースターには、予めIHヒーターを装着することなく、別部材に係る既製のIHヒーターを後付け可能に構成してもよい。
【００７８】
尚、本実施例に係るロースターにおいて燃焼用として供給される空気は、全排気量の約１０％から約３０％程度が好適と考えられる。
【００７９】
但し、上記各実施例においては、その熱源として「ガス火焔」或いは「IHヒーター」を例示したが、本発明は上記構成に特段限定されるものではなく、例えば、図６に示すように「シーズヒーター」（抵抗体を用いた電熱ヒーター）を前記上段ボックス２内に組み込んで、他のボックスに積層して利用することが考えられる。かかる熱源を採用し、排気の一部を上段ボックス２内に送出する構成を採った場合には、この流路部３ｄ内の排気によって外箱５の外面を冷却することが可能となるので、該上段ボックス２側壁の温度上昇の防止にも資することとなる。
【００８０】
熱源に関しては上記例示の他、「ハロゲンヒーター」、「カセットコンロ」、「ホットプレート」或いは「炭火を入れた七輪」等々を前記上段ボックス２内に予め組み込んだり、或いは後付けしてもよい。特に「炭火を入れた七輪」を熱源として利用した場合には、供給口３３から供給される清浄後の排気が当該七輪側壁の空気取入口から供給されることとなり、いわば、団扇で扇いだ状態となり、炭火を効率よく燃焼させることができて好適である。
【００８１】
即ち、ボックス２，２ａ…には共通部品を多く採用することにより、各種のボックスを組み合わせることで、焼き網部の形状（角形又は丸形）、熱源のタイプ等、各種バリエーションを選択して組立ることができ、ユーザーの細かなニーズに応えることが可能となるのである。
【００８２】
さらには、本発明に係る分割式無煙ロースターのテーブル１の構成を変更することにより、「無煙フライヤー」として利用したり、或いは「調理手段を備えたワゴン」として利用してもよい。尚、「ワゴン」として利用する場合においては、調理手段の自由度を高めることを目的として、図７（ａ）に示すように、予め調理手段を設けずに「別部材の調理手段」を載置可能な載置台を設けてもよい。この場合には、載置される調理手段の焼き面よりも上方に、吸引流路へと連通する吸引孔を配置されるように配慮すべきである。尚、特に図７（ｂ）に示す「ワゴン」は、伸縮自在なフードを装着しているため、調理手段の焼き面から立ち上る焼煙・油煙をより一層効率的に吸引することが可能となる。尚、この図７に示す「ワゴン」は、調理手段の設置スペース（載置台）を確保する必要上、同図（ｂ）に示すように、焼煙・油煙を吸引する吸引孔１１は調理手段の奥側へ溝状に形成し、流路部３を介して中段ボックス２ａへと連通させているが、その他の基本的な構造は上記実施例２と同様である。
【００８３】
以上、加熱部を取り替えることによって多彩な調理方法が選択できるため、所謂「多目的無煙ロースター」や「多目的無煙ワゴン」の提供が可能となるのである。
【図面の簡単な説明】
【００８４】
【図１】実施例１に係る無煙ロースターを設置した一例を示す図である。
【図２】ロースター１台につき脱臭ユニットを１台づつ接続した状態を上方から示す図である。
【図３】実施例２に係る分割式無煙ロースターの内部を示す図である。
【図４】図３に示す分割式無煙ロースターにおける最上段ボックスの内部を示す図である。
【図５】実施例３に係る分割式無煙ロースターの内部を示す図である。
【図６】「シーズヒーター」（抵抗体を用いた電熱ヒーター）を前記上段ボックス２内に組み込んでなる、分割式無煙ロースターの内部を示す図である。
【図７】（ａ）別部材からなる調理手段を装着可能なワゴンを斜め上方から示す図である。（ｂ）別部材からなる調理手段を装着可能なワゴンの内部を示す図である。
【図８】実施例２又は実施例３に係る分割式無煙ロースターを、ボックス毎に分割した状態を側方から示す図である。
【図９】図８に示す分割式無煙ロースターのボックスどうしを結合させて、側方から示す図である。
【符号の説明】
【００８５】
１              テーブル
２，２ａ…      ボックス
３，３ａ…      流路部
４              排気流路
５              外箱
７              上方開口部
８              内箱
９              吸引流路
１１，１１ａ…  吸引孔
１４            載置調理手段
１９            油脂濾過部
２５            ファン
２６            吸着脱臭部
２７，２７ａ    フィルター
２９            HEPAフィルター
３０            排気口
３１            連通口
３２            接続口
３３            供給口
３４            第２排気口